(57)【要約】【課題】火災感知器および受信機の点検の記録を行う点検装置等を提供すること。【解決手段】点検装置１１は、複数の区域にそれぞれ設置された火災感知器７１に接続されており前記火災感知器７１からの信号を区域ごとに受信して、該区域ごとに火災信号を出力する受信機６１に接続され、前記区域ごとに前記火災信号の有無を取得する第１取得部と、前記第１取得部が取得した火災信号に変化が生じた場合に、前記区域ごとの火災信号の有無を送信する送信部とを備える。【選択図】図１
2018120560.tif 000002
【特許請求の範囲】
【請求項１】
複数の区域にそれぞれ設置された火災感知器に接続されており前記火災感知器からの信号を区域ごとに受信して、該区域ごとに火災信号を出力する受信機に接続され、前記区域ごとに前記火災信号の有無を取得する第１取得部と、
前記第１取得部が取得した火災信号に変化が生じた場合に、前記区域ごとの火災信号の有無を送信する送信部と
を備える点検装置。
【請求項２】
前記受信機は、前記火災信号に基づいて警告を出力する警告部を前記区域ごとに備え、
前記第１取得部は、前記警告部にそれぞれ接続可能な接続部に接続される
請求項１に記載の点検装置。
【請求項３】
前記受信機は、該受信機が設置された建物に複数設置された第２インタホンに接続可能な第１インタホンを有し、
点検中の場所を取得する第２取得部と、
前記第１インタホンを制御して、前記第２取得部が取得した場所に設置された第２インタホンを呼び出すインタホン制御部とを備える
請求項１または請求項２に記載の点検装置。
【請求項４】
前記インタホン制御部は、前記第２インタホンからの応答の有無を検出する
請求項３に記載の点検装置。
【請求項５】
複数の区域にそれぞれ設置された火災感知器に接続されており前記火災感知器からの信号を区域ごとに受信して、該区域ごとに火災信号を出力する受信機に接続して前記区域ごとに前記火災信号の有無を取得し、
取得した火災信号の有無に変化が生じた場合に、前記区域ごとの火災信号の有無を送信する
点検方法。
【請求項６】
複数の区域にそれぞれ設置された火災感知器に接続されており前記火災感知器からの信号を区域ごとに受信して、該区域ごとに火災信号を出力する受信機に対して、前記区域ごとに前記火災信号の有無を取得する第１取得部と、前記第１取得部が取得した火災信号に変化が生じた場合に、前記区域ごとの火災信号の有無を送信する送信部とを備える点検装置を取り付け、
前記送信部により送信された前記区域ごとの火災信号の有無を無線で受信する受信部と、前記受信部が受信した前記区域ごとの火災信号の有無を表示する表示部とを備える情報処理装置を、前記火災感知器の設置場所に携行し、
前記火災感知器に試験器を近づけて火災を感知させ、
前記情報処理装置を介して前記受信機の動作を確認する
点検方法。
【請求項７】
情報処理装置と、点検装置とを備える点検システムにおいて、
前記点検装置は、
複数の区域にそれぞれ設置された火災感知器に接続されており前記火災感知器からの信号を区域ごとに受信して、該区域ごとに火災信号を出力する受信機に接続し、前記区域ごとに火災信号の有無を取得する第１取得部と、
前記第１取得部が取得した火災信号の有無に変化が生じた場合に、前記区域ごとの火災信号の有無を送信する送信部とを備え、
前記情報処理装置は、
前記区域ごとの火災信号の有無を受信する受信部と、
前記受信部が受信した前記区域ごとの火災信号の有無を表示する表示部とを備える
点検システム。
【発明の詳細な説明】
【技術分野】
【０００１】
本発明は、点検装置、点検方法および点検システムに関する。
【背景技術】
【０００２】
マンション等の建物の管理者には、定期的な消防設備点検の実施が義務付けられている。消防設備には、建物の各所に設置された火災感知器および火災感知器からの信号を受信して警告を発する受信機が含まれる。火災感知器および受信機の点検を行う場合には、住戸内等に設置された火災感知器を熱または煙等により反応させて、管理室等に設置された受信機の状態を確認し、警告解除等の操作を行う作業を繰り返す。
【０００３】
受信機にカメラおよびアクチュエータを固定し、カメラが撮影した受信機の映像をリアルタイムで送信するとともにアクチュエータの遠隔操作を受け付ける消防設備点検操作支援用システムが提案されている（特許文献１）。火災感知器を反応させた点検作業者は、カメラが撮影した映像をスマートフォン等で閲覧して受信機の動作を確認し、アクチュエータを遠隔操作して警告解除操作を行う。これにより、一人の作業者が火災感知器および受信機の点検を行うことができる。
【０００４】
しかしながら、特許文献１に記載の消防設備点検操作支援用システムでは、点検の記録を自動的に残すことができないという問題点がある。
【先行技術文献】
【特許文献】
【０００５】
【特許文献１】実用新案登録第３１９９０５号公報
【発明の概要】
【発明が解決しようとする課題】
【０００６】
一つの側面では、火災感知器および受信機の点検の記録を行う点検装置等を提供することを目的とする。
【課題を解決するための手段】
【０００７】
点検装置は、複数の区域にそれぞれ設置された火災感知器に接続されており前記火災感知器からの信号を区域ごとに受信して、該区域ごとに火災信号を出力する受信機に接続され、前記区域ごとに前記火災信号の有無を取得する第１取得部と、前記第１取得部が取得した火災信号に変化が生じた場合に、前記区域ごとの火災信号の有無を送信する送信部とを備える。
【発明の効果】
【０００８】
一つの側面では、火災感知器および受信機の点検の記録を行う点検装置等を提供することができる。
【図面の簡単な説明】
【０００９】
【図１】消防設備点検の概要を示す説明図である。
【図２】点検システムの構成を示す説明図である。
【図３】点検装置と受信機との接続を示す説明図である。
【図４】ログＤＢのレコードレイアウトを示す説明図である。
【図５】点検結果ＤＢのレコードレイアウトを示す説明図である。
【図６】クライアントに表示する画面の例を示す説明図である。
【図７】プログラムの処理の流れを示すフローチャートである。
【図８】インタホン点検のサブルーチンの処理の流れを示すフローチャートである。
【図９】実施の形態２の消防設備点検の概要を示す説明図である。
【図１０】実施の形態２のプログラムの処理の流れを示すフローチャートである。
【図１１】実施の形態３の点検装置と受信機との接続を示す説明図である。
【図１２】実施の形態４の消防設備点検の概要を示す説明図である。
【図１３】実施の形態４のプログラムの処理の流れを示すフローチャートである。
【図１４】実施の形態５の点検装置と受信機との接続を示す説明図である。
【図１５】実施の形態６の点検システムの動作を示す機能ブロック図である。
【図１６】実施の形態７の点検システムの構成を示す説明図である。
【発明を実施するための形態】
【００１０】
［実施の形態１］
図１は、消防設備点検の概要を示す説明図である。まず、点検対象の消防設備の構成を説明する。
【００１１】
管理室に、受信機６１が設置されている。本実施の形態の受信機６１は、建物を複数の警戒区域に区切り、区域ごとにその内部に設置された火災感知器７１および火災報知機７３の作動状態を受信して、所定の条件を満たす場合に警告を発する、いわゆるＰ型（Proprietary-type）である。
【００１２】
受信機６１は、第１受話器６７を有する第１インタホン６６を内蔵している。第１インタホン６６は、受信機６１に外付けで接続されていても良い。
【００１３】
住戸内および共用部の各部屋の天井およびエレベータシャフト内等に、火災感知器７１が設置されている。火災感知器７１は、熱、煙または炎を感知して、感知信号を出力する。共用廊下等の共用部に、押しボタン式の火災報知機７３等が設置されている。火災報知機７３は、ボタンが押されたことを感知した場合に、感知信号を出力する。火災報知機７３の近傍に、非常連絡用の第２インタホン７６が設置されている。第２インタホン７６は、第２受話器７７を備える。
【００１４】
警戒区域は、フロアごとに設定されている。一つのフロアが、複数の警戒区域に区切られている場合もある。一つの警戒区域内に設置された火災感知器７１および火災報知機７３は、同一の感知信号線７２を介して受信機６１に接続されている。受信機６１は感知信号線７２を介して受信した感知信号が所定の条件を満たす場合に、警告部６２（図３参照）に警告を表示する。
【００１５】
第２インタホン７６は、通話線７５および受信機６１を介して、第１インタホン６６と接続されている。第１インタホン６６と第２インタホン７６とを使用することにより、火災報知機７３の傍にいる人と、受信機６１の傍にいる人との間で通話を行える。
【００１６】
図２は、点検システム１０の構成を示す説明図である。点検システム１０は、点検装置１１、サーバ４１およびクライアント３１を備える。
【００１７】
点検装置１１は、第１ＣＰＵ（Central Processing Unit）１２、主記憶装置１３、補助記憶装置１４、通信部１５、第１取得部１６、音声Ｉ／Ｆ（Interface）１７、インタホン制御部１８、およびバスを備える。通信部１５は、送信部１５１を含む。本実施の形態の点検装置１１は、消防設備点検を行う点検作業者が、点検対象の建物に持ち込んで設置し、点検終了後に持ち帰る、専用の装置である。
【００１８】
第１ＣＰＵ１２は、本実施の形態にかかるプログラムを実行する演算制御装置である。第１ＣＰＵ１２には、一または複数のＣＰＵまたはマルチコアＣＰＵ等が使用される。第１ＣＰＵ１２は、バスを介して点検装置１１を構成するハードウェア各部と接続されている。
【００１９】
主記憶装置１３は、ＳＲＡＭ（Static Random Access Memory）、ＤＲＡＭ（Dynamic Random Access Memory）、フラッシュメモリ等の記憶装置である。主記憶装置１３には、第１ＣＰＵ１２が行う処理の途中で必要な情報および第１ＣＰＵ１２で実行中のプログラムが一時的に保存される。
【００２０】
補助記憶装置１４は、ＳＲＡＭ、フラッシュメモリ、ハードディスクまたは磁気テープ等の記憶装置である。補助記憶装置１４には、第１ＣＰＵ１２に実行させるプログラム、およびプログラムの実行に必要な各種情報が保存される。
【００２１】
通信部１５は、ＬＴＥ（Long Term Evolution）等の通信規格に基づいてネットワークに接続可能である。第１取得部１６には、たとえば９本の接続部２１が接続される。接続部２１は、プローブ２１２およびプローブ２１２と第１取得部１６との間を接続するケーブル２１１を備える。接続部２１は第１取得部１６に着脱可能であり、点検対象の受信機６１に応じた長さおよび形状の接続部２１を、点検作業者が適宜選択して使用できる。
【００２２】
音声Ｉ／Ｆ１７は、スピーカ２２およびマイク２３に接続されており、音声の入出力を行う。インタホン制御部１８は、インタホン制御線２５を介して第１インタホン６６のオンフック、オフフック、ダイヤル等を制御する制御信号を出力する。
【００２３】
サーバ４１は、第３ＣＰＵ４２、主記憶装置４３、補助記憶装置４４、通信部４５、時計４６、およびバスを備える。本実施の形態のサーバ４１は汎用のパーソナルコンピュータ、サーバマシン等の情報処理装置である。また、本実施の形態のサーバ４１は、大型計算機上で動作する仮想マシンでも良い。
【００２４】
第３ＣＰＵ４２は、本実施の形態にかかるプログラムを実行する演算制御装置である。第３ＣＰＵ４２には、一または複数のＣＰＵまたはマルチコアＣＰＵ等が使用される。第３ＣＰＵ４２は、バスを介してサーバ４１を構成するハードウェア各部と接続されている。
【００２５】
主記憶装置４３は、ＳＲＡＭ、ＤＲＡＭ、フラッシュメモリ等の記憶装置である。主記憶装置４３には、第３ＣＰＵ４２が行う処理の途中で必要な情報および第３ＣＰＵ４２で実行中のプログラムが一時的に保存される。
【００２６】
補助記憶装置４４は、ＳＲＡＭ、フラッシュメモリ、ハードディスクまたは磁気テープ等の記憶装置である。補助記憶装置４４には、第３ＣＰＵ４２に実行させるプログラム、ログＤＢ５１、点検結果ＤＢ５２およびプログラムの実行に必要な各種情報が保存される。
【００２７】
なお、ログＤＢ５１および点検結果ＤＢ５２は、ネットワーク等を介してサーバ４１に接続された別の記憶装置に記憶されても良い。各ＤＢはそれぞれ異なる記憶装置に記憶されても良い。
【００２８】
通信部４５は、サーバ４１とネットワークとの間の通信を行うインターフェイスである。時計４６は、ネットワークを介して自動的に時刻あわせを行うことが望ましい。
【００２９】
クライアント３１は、第２ＣＰＵ３２、主記憶装置３３、補助記憶装置３４、通信部３５、表示部３７、入力部３８、およびバスを備える。通信部３５は、受信部３５２を含む。本実施の形態のクライアント３１は、汎用のパソコン、タブレット、スマートフォン等の情報機器である。クライアント３１は、点検作業用の専用端末でも良い。
【００３０】
第２ＣＰＵ３２は、本実施の形態にかかるプログラムを実行する演算制御装置である。第２ＣＰＵ３２には、一または複数のＣＰＵまたはマルチコアＣＰＵ等が使用される。第２ＣＰＵ３２は、バスを介してサーバ４１を構成するハードウェア各部と接続されている。
【００３１】
主記憶装置３３は、ＳＲＡＭ、ＤＲＡＭ、フラッシュメモリ等の記憶装置である。主記憶装置３３には、第２ＣＰＵ３２が行う処理の途中で必要な情報および第２ＣＰＵ３２で実行中のプログラムが一時的に保存される。
【００３２】
補助記憶装置３４は、ＳＲＡＭ、フラッシュメモリまたはハードディスク等の記憶装置である。補助記憶装置３４には、第２ＣＰＵ３２に実行させるプログラムおよびプログラムの実行に必要な各種情報が保存される。
【００３３】
通信部４５は、サーバ４１とネットワークとの間の通信を行うインターフェイスである。時計４６は、ネットワークを介して自動的に時刻あわせを行えることが望ましい。
【００３４】
通信部１５は、ＬＴＥ等の通信規格に基づいてネットワークに接続可能である。表示部３７は、液晶表示パネルまたは有機ＥＬ（Electro Luminescence）表示パネル等の表示パネルである。入力部３８は、表示部３７の表面に配置されたタッチセンサである。すなわち、表示部３７と入力部３８とは、一体になっていわゆるタッチパネルを構成する。
【００３５】
なお、表示部３７にゴーグル型または眼鏡型のヘッドマウントディスプレイを使用しても良い。このようにする場合、入力部３８にはユーザの手および腕の動きを検知するいわゆるモーションセンサ、音声入力を行うマイク、またはユーザの視線を検知する視線入力装置等を使用することが望ましい。ヘッドマウントディスプレイを使用することにより、点検作業者はクライアント３１を手で持たずに点検作業を行うことができる。
【００３６】
図３は、点検装置１１と受信機６１との接続を示す説明図である。受信機６１は、警戒区域ごとに警告部６２、ラベル６３およびコネクタ６４を備える。ラベル６３は、警戒区域の名称を示す。受信機６１は、警戒区域の火災感知器７１または火災報知機７３から受信した感知信号が所定の条件を満たす場合にＯＮ信号、満たさない場合にＯＦＦ信号を示す火災信号を出力する。警告部６２は、火災信号に基づいて警告を出力する表示器等である。コネクタ６４は、火災信号を出力する。なお、図３において最下部のコネクタ６４は、各警戒区域の警告部６２の共通接地線に接続されている。
【００３７】
警戒区域の数が多い場合には、点検作業者は点検装置１１に接続可能な数の警戒区域ごとに分けて点検作業を行う。
【００３８】
点検作業者は、接続部２１をそれぞれの警戒区域のコネクタ６４に接続する。なお、コネクタ６４を備えない受信機６１の点検を行う場合には、点検作業者は受信機６１内部の配線等に接続部２１を接続する。点検作業者は、第１受話器６７の送話口にスピーカ２２を、受話口にマイク２３を、それぞれゴムバンド等を用いて固定する。
【００３９】
点検作業者は、点検装置１１と受信機６１の警告解除スイッチの配線との間を警告停止信号線２６で接続する。点検作業者は、点検装置１１と第１インタホン６６との間をインタホン制御線２５で接続する。以上により、点検装置１１の設置が完了する。
【００４０】
図４は、ログＤＢ５１のレコードレイアウトを示す説明図である。ログＤＢ５１は、日時と、点検装置１１が取得した受信機６１の状態とを関連づけて記録するＤＢである。ログＤＢ５１は、点検装置ＩＤ（Identification）フィールド、日時フィールドおよび状態フィールドを有する。状態フィールドは、区域１フィールドから区域８フィールドまでのサブフィールドを有する。ログＤＢ５１は、一回のデータ受信について、一つのレコードを有する。
【００４１】
点検装置ＩＤフィールドには、各点検装置１１に割り当てられた固有のＩＤが記録されている。日時フィールドには、サーバ４１がデータを受信した日時が記録されている。状態フィールドの各サブフィールドには、第１取得部１６が取得した受信機６１の各警告部６２の状態が記録されている。
【００４２】
図５は、点検結果ＤＢ５２のレコードレイアウトを示す説明図である。点検結果ＤＢ５２は、建物名、点検日、場所および点検結果を関連づけて記録するＤＢである。点検結果ＤＢ５２は、建物名フィールド、点検日フィールド、場所フィールド、呼出番号フィールド、インタホンフィールドおよび点検結果フィールドを有する。点検結果ＤＢ５２は一つの住戸等について一つのレコードを有する。点検結果ＤＢ５２は一つの火災感知器７１等について一つのレコードを有しても良い。
【００４３】
建物名フィールドには、点検対象の建物名が記録される。点検日フィールドには、点検日が記録される。場所フィールドには、建物内の場所名が記録される。呼出番号フィールドには、インタホンの呼出番号が記録される。インタホンフィールドには、インタホンの点検結果が記録される。点検結果フィールドには、点検作業者が判断した点検結果が記録される。インタホンフィールドおよび点検結果フィールドの初期値は、まだ点検を行っていないことを意味する「未」である。
【００４４】
図６は、クライアント３１に表示する画面の例を示す説明図である。第２ＣＰＵ３２は、表示部３７に図６に示す点検画面を表示する。点検画面は、ＵＲＬ（Uniform Resource Locator）欄８８、点検装置ＩＤ欄８１、接続状態欄８２、インタホン欄８９、開始ボタン８３、終了ボタン８４、８個の状態表示欄８５、場所欄８６、呼出番号欄９０、および点検結果欄８７を含む。
【００４５】
本実施の形態のプログラムは、サーバ４１とクライアント３１とが協調処理した結果をＷＥＢ（World Wide Web）ブラウザを用いて表示する、いわゆるＷＥＢアプリである。ＵＲＬ欄８８には、図６に示す画面を表示するためにクライアント３１がアクセス中のＵＲＬが表示される。なお、プログラムはクライアント３１にインストールされて、必要に応じてサーバ４１との通信を行う、いわゆるネイティブアプリでも良い。
【００４６】
点検装置ＩＤ欄８１には、使用する点検装置１１のＩＤが表示される。接続状態欄８２には、点検装置１１とサーバ４１との接続状態が表示される。インタホン欄８９には、インタホンの点検結果が表示される。開始ボタン８３は、点検装置１１からのデータ取得を開始する指示を受け付ける。終了ボタン８４は、点検装置１１からのデータ取得を終了する指示を受け付ける。
【００４７】
状態表示欄８５には、第１取得部１６が取得した受信機６１の各警告部６２の状態が表示される。場所欄８６は、点検対象のエリア名、フロア名等、点検中の場所の入力を受け付ける。場所欄８６は、点検中の場所を取得する第３取得部の一例である。呼出番号欄９０は、点検中の場所に設置されたインタホンの呼出番号の入力を受け付ける。点検結果欄８７は、点検作業者が判断した点検結果の入力を受け付ける。
【００４８】
第２ＣＰＵ３２は、入力部３８を介してＵＲＬ欄８８、点検装置ＩＤ欄８１、場所欄８６、呼出番号欄９０および点検結果欄８７に入力されたデータと、開始ボタン８３および終了ボタン８４への操作とを取得し、サーバ４１に随時送信する。第２ＣＰＵ３２は、サーバ４１から図６を使用して説明した点検画面の表示に必要なデータを受信し、表示部３７に表示する。
【００４９】
図１から図６を使用して、点検システム１０を用いた点検作業の概要を説明する。図３を使用して説明した点検装置１１の設置を完了した点検作業者は、無線通信により点検装置１１とサーバ４１とを接続する。点検作業者は、クライアント３１にインストールされたブラウザに所定のＵＲＬを入力して、図６を使用して説明した点検画面を表示する。点検作業者は、開始ボタン８３を操作して、点検装置１１からログＤＢ５１へのデータ記録を開始する。
【００５０】
点検作業者は、クライアント３１および試験器９７を持って、建物内の各所に設置された火災感知器７１の近くに行く。点検作業者は、火災感知器７１に、熱、煙、光等を発生する試験器９７をかざす。火災感知器７１は、感知信号を出力する。感知信号が所定の条件を満たす場合に、受信機６１は、感知信号を受信した感知信号線７２に対応する警告部６２から警告を出力する。
【００５１】
第１ＣＰＵ１２は、コネクタ６４、接続部２１および第１取得部１６を介して、それぞれの警告部６２の警告出力の有無を取得し、通信部１５を介してサーバ４１に送信する。
サーバ４１は、ログＤＢ５１に新しいレコードを作成して、受信した情報を記録する。
【００５２】
第１ＣＰＵ１２は、所定の時間が経過した後に、警告停止信号線２６を介して受信機６１に警告停止信号を送信する。警告停止信号を受信した受信機６１は、警告の出力を停止して、通常の状態に戻る。なお、自動的に警告の出力を停止する点検用のモード設定が可能な受信機６１の点検を行う場合には、点検作業者は警告停止信号線２６を接続しなくても良い。
【００５３】
第３ＣＰＵ４２は、ログＤＢ５１に記録された情報に基づいて、状態表示欄８５に対応するデータを更新する。第２ＣＰＵ３２は、ネットワークを介して更新されたデータを取得し、表示部３７の表示を更新する。なお、以下の説明では、「第３ＣＰＵ４２は状態表示欄８５を更新する」のように簡略化して記載する場合がある。点検作業者は、表示部３７を見て、受信機６１が感知信号を受信したことを確認する。
【００５４】
受信機６１が警告の出力を停止したことを確認した後に、点検作業者は、次の火災感知器７１に試験器９７をかざす。同様に、点検作業者は火災報知機７３のボタンを押して感知信号を発生させ、受信機６１が所定の反応をすることを確認する。
【００５５】
点検作業者は、入力部３８を操作して点検中の場所および設置された第２インタホン７６の呼出番号を場所欄８６および呼出番号欄９０に入力する。第２ＣＰＵ３２は、点検作業者が入力した情報をサーバ４１に送信する。第３ＣＰＵ４２は、点検結果ＤＢ５２に場所および呼出番号を記録する。
【００５６】
第３ＣＰＵ４２は、呼出番号を点検装置１１に送信する。第１ＣＰＵ１２は、インタホン制御部１８を介して、第１インタホン６６をオフフック状態にして、呼出番号で指定された第２インタホン７６を呼び出す。点検作業者入力した番号の第２インタホン７６の呼出音が鳴る。
【００５７】
点検作業者は、第２受話器７７を取る。第１ＣＰＵ１２は、インタホン制御部１８を介して呼び出した第２インタホン７６がオフフック状態になったことを検出し、音声Ｉ／Ｆ１７を介してスピーカ２２から試験用の音声を出力する。点検作業員は、第２受話器７７の受話口から試験用の音声を聞き、送話口から応答する。
【００５８】
第１ＣＰＵ１２は、マイク２３および音声Ｉ／Ｆ１７を介して点検作業者の応答を取得し場合に、第２インタホン７６およびインタホン用の配線設備等が正常に動作していると判定する。点検作業者が第２受話器７７を取らない場合および点検作業者の応答を取得できない場合には、第１ＣＰＵ１２はインタホンに異常があると判定する。
【００５９】
第１ＣＰＵ１２は、インタホン制御部１８およびインタホン制御線２５を介して第１インタホン６６をオンフック状態にする制御信号を出力する。点検作業者は、第２受話器７７を元の場所に戻して、オンフック状態にする。
【００６０】
第１ＣＰＵ１２は、インタホンの状態の判定結果をサーバ４１に送信する。サーバ４１は、受信した情報を点検結果ＤＢ５２のインタホンフィールドに記録する。第２ＣＰＵ３２は、インタホンフィールドに記録された情報を取得して、インタホン欄８９に表示する。
【００６１】
一つの点検場所に設置された火災感知器７１、火災報知機７３および第２インタホン７６の点検の終了後、点検作業者は入力部３８を操作して、点検結果欄８７に点検結果を入力する。第２ＣＰＵ３２は、点検結果をサーバ４１に送信する。第３ＣＰＵ４２は、受信した点検結果を点検結果ＤＢ５２の点検結果フィールドに記録する。
【００６２】
その後、点検作業者は場所欄８６に次の点検場所を入力し、点検を開始する。以上により、点検作業者は各所に設置された火災検知器７１の動作を一人で点検することが可能である。なお、点検作業者は一つの警戒区域全体を一つの点検場所としても、一つの警戒区域を複数の点検場所に分けても良い。
【００６３】
図７は、プログラムの処理の流れを示すフローチャートである。第２ＣＰＵ３２は、図６を使用して説明した画面の場所欄８６、呼出番号欄９０および点検結果欄８７に入力されたデータを、サーバ４１に送信する（ステップＳ５０１）。なお、呼出番号欄９０および点検結果欄８７にデータが入力されていない場合、第２ＣＰＵ３２は当該欄が空欄である旨を送信する。第２ＣＰＵ３２は、サーバ４１に図６を使用して説明した画面の更新要求を送信する（ステップＳ５０２）。
【００６４】
第３ＣＰＵ４２は、クライアント３１からデータを受信したか否かを判定する（ステップＳ６００）。受信したと判定した場合（ステップＳ６００でＹＥＳ）、第３ＣＰＵ４２は、場所欄８６に入力されたデータをキーとして点検結果ＤＢ５２を検索し、抽出したレコードに受信した受信したデータを記録する（ステップＳ６０１）。
【００６５】
なお、点検結果ＤＢ５２に対応するレコードが記録されていない場合には、第３ＣＰＵ４２は点検結果ＤＢ５２にレコードを追加し、受信したデータを記録するとともに、インタホンフィールドおよび点検結果フィールドに「未」を記録する。
【００６６】
受信第３ＣＰＵ４２は、呼出番号欄９０のデータに変化があるかどうかを判定する（ステップＳ６０２）。変化があると判定した場合（ステップＳ６０２でＹＥＳ）、第３ＣＰＵ４２は呼出番号を点検装置１１に送信する（ステップＳ６０３）。第１ＣＰＵ１２は、呼出番号を割り込み処理により受信し、主記憶装置１３または補助記憶装置１４に記憶する。
【００６７】
第１ＣＰＵ１２は、接続部２１を介して第１取得部１６が取得する受信機６１の状態に変化があるか否かを判定する（ステップＳ７０１）。変化がないと判定した場合（ステップＳ７０１でＮＯ）、第１ＣＰＵ１２は前回のサーバ４１との通信から所定の時間が経過しているか否かを判定する（ステップＳ７０２）。ここで所定の時間は点検装置１１とサーバ４１との接続がタイムアウトにより切断されることを防止できる程度の時間である。
【００６８】
経過していないと判定した場合（ステップＳ７０２でＮＯ）、第１ＣＰＵ１２はステップＳ７０１に戻る。変化があると判定した場合（ステップＳ７０１でＹＥＳ）、または、経過していると判定した場合（ステップＳ７０２でＹＥＳ）、第１ＣＰＵ１２はサーバ４１に受信機６１の状態を送信する（ステップＳ７０３）。第１ＣＰＵ１２は、警告停止信号線２６を介して受信機６１に警告停止信号を送信する（ステップＳ７０４）。
【００６９】
受信してないと判定した場合（ステップＳ６００でＮＯ）、呼出番号に変化がないと判定した場合（ステップＳ６０２でＮＯ）、または、ステップＳ６０３の終了後、第３ＣＰＵ４２は、点検装置１１から受信機６１の状態を受信しているか否かを判定する（ステップＳ６１０）。受信していると判定した場合（ステップＳ６１０でＹＥＳ）、第３ＣＰＵ４２は、ログＤＢ５１にレコードを作成して受信したデータを記録する（ステップＳ６１１）。
【００７０】
受信してないと判定した場合（ステップＳ６１０でＮＯ）、またはステップＳ６１１の終了後、第３ＣＰＵ４２はクライアント３１からの更新要求を受信しているか否かを判定する（ステップＳ６１２）。受信していると判定した場合（ステップＳ６１２でＹＥＳ）、第３ＣＰＵ４２は点検装置１１から受信した最新のデータに基づいて状態表示欄８５の表示を更新するデータをクライアント３１に送信する（ステップＳ６１３）。
【００７１】
第２ＣＰＵ３２は、サーバ４１から送信されたデータを受信する（ステップＳ５０５）。第２ＣＰＵ３２は、表示部３７の表示を更新する（ステップＳ５０６）。第２ＣＰＵ３２は点検を終了するか否かを判定する（ステップＳ５０７）。たとえば、図示しない点検終了ボタンの選択を受け付けた場合、またはサーバ４１との通信が遮断された場合等に、第２ＣＰＵ３２は点検を終了すると判定する。
【００７２】
点検を終了しないと判定した場合（ステップＳ５０７でＮＯ）、第２ＣＰＵ３２はステップＳ５０１に戻る。点検を終了すると判定した場合（ステップＳ５０７でＹＥＳ）、第２ＣＰＵ３２は処理を終了する。更新要求を受信していないと判定した場合（ステップＳ６１２でＮＯ）、またはステップＳ６１３の終了後、第３ＣＰＵ４２はステップＳ６００に戻る。
【００７３】
第１ＣＰＵ１２は、サーバ４１から呼出番号を受信しているか否かを判定する（ステップＳ７０５）。受信していると判定した場合（ステップＳ７０５でＹＥＳ）、第１ＣＰＵ１２はインタホン点検のサブルーチンを起動する（ステップＳ７０６）。インタホン点検のサブルーチンは、インタホンの動作を点検するサブルーチンである。受信していないと判定した場合（ステップＳ７０５でＮＯ）、またはステップＳ７０６の終了後、第１ＣＰＵ１２はステップＳ７０１に戻る。
【００７４】
図８は、インタホン点検のサブルーチンの処理の流れを示すフローチャートである。第１ＣＰＵ１２は、インタホン制御部１８を介して、第１インタホン６６をオフフック状態にして、呼出番号で指定された第２インタホン７６を呼び出す（ステップＳ７１０）。
【００７５】
第１ＣＰＵ１２は、呼び出された第２インタホン７６がオフフック状態になったか否かを判定する（ステップＳ７１１）。オフフック状態になったと判定した場合（ステップＳ７１１でＹＥＳ）、第１ＣＰＵ１２は、スピーカ２２から試験用の音声を出力する（ステップＳ７１２）。
【００７６】
第１ＣＰＵ１２は、マイク２３から点検作業者の返事が聞こえたか否かを判定する（ステップＳ７１３）。返事が聞こえたと判定した場合（ステップＳ７１３でＹＥＳ）、第１ＣＰＵ１２はインタホンの点検結果が「正常」であると判定する（ステップＳ７１４）。返事が聞こえないと判定した場合（ステップＳ７１３でＮＯ）、第１ＣＰＵ１２はインタホンの点検結果が「音声受信なし」であると判定する（ステップＳ７１５）。
【００７７】
所定の時間、たとえば６０秒間経過しても第２インタホン７６がオフフック状態になっていないと判定した場合（ステップＳ７１１でＮＯ）、第１ＣＰＵ１２はインタホンの点検結果が「応答なし」であると判定する（ステップＳ７０６）。ステップＳ７１４、ステップＳ７１５またはステップＳ７１６の終了後、第１ＣＰＵ１２は第１インタホン６６をオンフック状態にしてインタホン回線を切断する（ステップＳ７１７）。
【００７８】
第１ＣＰＵ１２は、点検結果をサーバ４１に送信する（ステップＳ７１８）。その後、第１ＣＰＵ１２は処理を終了する。第３ＣＰＵ４２は、点検結果を受信する（ステップＳ６２１）。第３ＣＰＵ４２は、点検結果ＤＢ５２のインタホンフィールドに点検結果を記録する（ステップＳ６２２）。
【００７９】
本実施の形態によると、各所に設置された火災検知器７１およびインタホンの動作を一人で点検できる点検システム１０を提供することが可能である。ログＤＢ５１および点検結果ＤＢ５２のインタホンフィールドには点検結果が自動的に記録されるので、信頼性の高い検査履歴を保存できる点検システム１０を提供することが可能である。
【００８０】
点検作業者が呼出番号欄９０に呼出番号を入力した後に、第２インタホン７６の呼出が行われるので、点検作業者は点検場所の状況に応じた順番で点検を行うことができる。また、現場での軽微な調整で復旧できる場合には、たとえば呼出番号欄９０のデータを削除してから、再入力することにより、インタホンの点検をやりなおすことができる。
【００８１】
本実施の形態によると、建物の状況に応じて、一つの警戒区域全体を一つの点検場所として点検結果を記録することも、一つの警戒区域を複数の点検場所に分けて点検結果を記録することも可能な点検システム１０を提供することが可能である。
【００８２】
点検結果欄８７は、プルダウンメニュー等により「正常」「留守」等の定型的な入力を受け付けても良い。
【００８３】
ログＤＢ５１および点検結果ＤＢ５２に記録されたデータは、たとえばＣＳＶ（Comma Separated Values）形式に変換して、汎用の表計算ソフトを用いて解析等を行うことができる。
【００８４】
［実施の形態２］
本実施の形態は、第２インタホン７６側から発信してインタホンの点検を行う点検システム１０に関する。実施の形態１と共通する部分については、説明を省略する。
【００８５】
図９は、実施の形態２の消防設備点検の概要を示す説明図である。本実施の形態においては、マイク２３とスピーカ２２とは、音声伝達線２８により接続されており、マイク２３が検出した音声をスピーカ２２から出力する。したがって、点検作業者は第２受話器７７の送話口に向かって話した自分の声を、第１受話器６７の受話口、マイク２３、音声伝達線２８、スピーカ２２、第１受話器６７の送話口および第２受話器７７の受話口を介して聞くことができる。
【００８６】
なお、音声伝達線２８の途中に、入力した音声を数秒遅れて出力する遅延機構を設けても良い。点検作業者は、自分の話す声と、管理室から戻ってきた声とを区別しやすくなる。スピーカ２２、マイク２３および音声伝達線２８の代わりに、筒状の伝声管を使用しても良い。
【００８７】
点検作業者は、第２インタホン７６から管理室に電話をかける。第１インタホン６６がオフフックになり、第２受話器７７の送話口に向かって話した自分の声が、受話口から戻ってくることにより、点検作業者はインタホンが正常に動作していることを確認し、点検結果欄８７に入力する。
【００８８】
図１０は、実施の形態２のプログラムの処理の流れを示すフローチャートである。第２ＣＰＵ３２の動作、第３ＣＰＵ４２のステップＳ６０１までの動作、および第１ＣＰＵ１２のステップＳ７０４までの動作は、実施の形態１と同一であるので説明を省略する。
【００８９】
ステップＳ６０１の終了後、第３ＣＰＵ４２は、点検装置１１から受信機６１の状態を受信しているか否かを判定する（ステップＳ６１０）。以後の第３ＣＰＵ４２の処理も、実施の形態１と同一であるので、説明を省略する。
【００９０】
ステップＳ７０４の後、第１ＣＰＵ１２は第１インタホン６６に着信があるか否かを判定する（ステップＳ７２１）。着信があると判定した場合（ステップＳ７２１でＹＥＳ）、第１ＣＰＵ１２はインタホン制御部１８およびインタホン制御線２５を介して制御信号を送信し、第１インタホン６６をオフフック状態にする（ステップＳ７２２）。
【００９１】
第１ＣＰＵ１２は、所定のタイマー時間の経過を待つ（ステップＳ７２３）。タイマー時間は、点検に必要な時間、たとえば３０秒から数分間程度である。第１ＣＰＵ１２は、第１インタホン６６をオンフック状態にする（ステップＳ７２４）。
【００９２】
着信がないと判定した場合（ステップＳ７２１でＮＯ）、またはステップＳ７２４の終了後、第１ＣＰＵ１２はステップＳ７０１に戻る。
【００９３】
本実施の形態によると、音声Ｉ／Ｆ１７は不要であり、インタホン制御部１８はインタホンのオンフック、オフフックの操作を行うのみであるので、点検装置１１を小型軽量化することができる。第１インタホン６６の発信制御方法が不明であっても、点検作業を行える点検システム１０を提供することができる。
【００９４】
［実施の形態３］
本実施の形態は、第１受話器６７の接続用コネクタに点検装置１１を接続する点検システム１０に関する。実施の形態１と共通する部分については、説明を省略する。
【００９５】
図１１は、実施の形態３の点検装置１１と受信機６１との接続を示す説明図である。本実施の形態においては、点検作業者は第１受話器６７を取り外し、通話試験線２７を用いて点検装置１１と第１インタホン６６とを接続する。点検装置１１は、通話試験線２７を介して、第１インタホン６６との間で音声信号を送受信する。
【００９６】
本実施の形態によると、スピーカ２２およびマイク２３を第１受話器６７に接続する作業が不要であるので、設置が簡単な点検システム１０を提供できる。
【００９７】
［実施の形態４］
本実施の形態は、点検装置１１とクライアント３１とが、サーバ４１を介さずにデータの送受信を行う点検システム１０に関する。実施の形態１と共通する部分については、説明を省略する。
【００９８】
図１２は、実施の形態４の消防設備点検の概要を示す説明図である。点検装置１１とクライアント３１は、無線通信により直接接続可能である。なお、点検装置１１とクライアント３１との間には、無線ＬＡＮ（Local Area Network）ルータまたは公衆無線通信回線の中継器等が介在しても良い。
【００９９】
クライアント３１の補助記憶装置３４に、図４を使用して説明したログＤＢ５１および図５を使用して説明した点検結果ＤＢ５２が記憶されている。ログＤＢ５１および点検結果ＤＢ５２は、ネットワークを介してクライアント３１に接続された外部のデータサーバ等に記憶されていても良い。
【０１００】
図１３は、実施の形態４のプログラムの処理の流れを示すフローチャートである。第１ＣＰＵ１２の動作は、ステップＳ７０３におけるデータの送信先がクライアント３１である以外は図１０を使用して説明した実施の形態２と同一であるので、説明を省略する。
【０１０１】
第２ＣＰＵ３２は、図６を使用して説明した画面の場所欄８６、呼出番号欄９０および点検結果欄８７への入力を受け付ける（ステップＳ５３１）。第２ＣＰＵ３２は、場所欄８６に入力されたデータをキーとして点検結果ＤＢ５２を検索し、抽出したレコードに受信した受信したデータを記録する（ステップＳ５３２）。
【０１０２】
なお、点検結果ＤＢ５２に対応するレコードが記録されていない場合には、第２ＣＰＵ３２は点検結果ＤＢ５２にレコードを追加し、受信したデータを記録するとともに、インタホンフィールドおよび点検結果フィールドに「未」を記録する。
【０１０３】
第２ＣＰＵ３２は、点検装置１１がステップＳ７０３で送信したデータを受信する（ステップＳ５３３）。第２ＣＰＵ３２は、ログＤＢ５１にレコードを作成して受信したデータを記録する（ステップＳ５３４）。
【０１０４】
第２ＣＰＵ３２は、表示部３７の表示を更新する（ステップＳ５３５）。第２ＣＰＵ３２は点検を終了するか否かを判定する（ステップＳ５３６）。終了しないと判定した場合（ステップＳ５３６でＮＯ）、第２ＣＰＵ３２はステップＳ５３１に戻る。終了すると判定した場合（ステップＳ５３６でＹＥＳ）、第２ＣＰＵ３２は処理を終了する。
【０１０５】
本実施の形態によると、サーバ４１を使用せずに点検システム１０を提供することができる。
【０１０６】
［実施の形態５］
本実施の形態は、受信機６１からワイヤレスで火災信号を取得する点検システム１０に関する。実施の形態１と共通する部分については、説明を省略する。
【０１０７】
図１４は、実施の形態５の点検装置１１と受信機６１との接続を示す説明図である。本実施の形態の点検システム１０は、送信機２９を有する。送信機２９と点検装置１１内の第１取得部１６とは、たとえばＢＬＵＥＴＯＯＴＨ（登録商標）、無線ＬＡＮまたは省電力無線等の無線通信プロトコルに基づいて通信する。
【０１０８】
送信機２９は、たとえば９本の接続部２１を介して受信機６１のコネクタ６４に接続される。送信機２９は、それぞれの接続部２１から取得した信号を、パラレル−シリアル変換し、無線通信により送信する。点検装置１１は、通信を介して送信機２９が送信した信号を受信する。
【０１０９】
本実施の形態によると、受信機６１からワイヤレスで火災信号を取得する点検システム１０を提供することができる。
【０１１０】
受信機６１自体が、火災信号を無線で送信する機能を有していても良い。この場合、点検作業者は所定のプロトコルに基づいて火災信号を受信するように点検装置１１を設定する。受信機６１が無線による制御を受け付ける場合には、インタホン制御線２５、および警報停止信号線２６の代わりに、無線通信を使用しても良い。
【０１１１】
［実施の形態６］
図１５は、実施の形態６の点検システム１０の動作を示す機能ブロック図である。点検システム１０は、情報処理装置３１と、点検装置１１とを備える。点検装置１１は、第１取得部１６と送信部１５１とを備える。第１取得部１６は、複数の区域にそれぞれ設置された火災感知器７１に接続されており火災感知器７１からの信号を区域ごとに受信して、区域ごとに火災信号を出力する受信機６１に接続し、区域ごとに火災信号の有無を取得する。送信部１５１は、第１取得部１６が取得した火災信号の有無に変化が生じた場合に、前記区域ごとの火災信号の有無を送信する。
【０１１２】
情報処理装置３１は、受信部３５２と表示部３７とを備える。受信部３５２は、区域ごとの火災信号の有無を受信する。表示部３７は、受信部３５２が受信した前記区域ごとの火災信号の有無を表示する表示部。
【０１１３】
［実施の形態７］
【０１１４】
本実施の形態は、汎用のコンピュータ９５とプログラム９４とを組み合わせて動作させることにより、本実施の形態の点検システム１０を実現する形態に関する。図１６は、実施の形態７の点検システム１０の構成を示す説明図である。図１６を使用して、本実施の形態の構成を説明する。なお、実施の形態１と共通する部分の説明は省略する。
【０１１５】
本実施の形態の点検システム１０は、ネットワークを介して接続されたコンピュータ９５、クライアント３１およびサーバ４１と、コンピュータ９５に接続された第１取得部１６、音声Ｉ／Ｆ１７およびインタホン制御部１８とを有する。
【０１１６】
コンピュータ９５は、第１ＣＰＵ１２、主記憶装置１３、補助記憶装置１４、通信部１５、読取部９１およびバスを備える。コンピュータ９５は、ノートパソコン等の汎用の携帯情報機器である。コンピュータ９５は、たとえばＵＳＢ（Universal Serial Bus）等の汎用のＩ／Ｆを介して第１取得部１６、音声Ｉ／Ｆ１７およびインタホン制御部１８に接続されている。
【０１１７】
プログラム９４は、可搬型記録媒体９２に記録されている。第１ＣＰＵ１２は、読取部９１を介してプログラム９４を読み込み、補助記憶装置１４に保存する。また第１ＣＰＵ１２は、コンピュータ９５内に実装されたフラッシュメモリ等の半導体メモリ９３に記憶されたプログラム９４を読み出しても良い。さらに、第１ＣＰＵ１２は、通信部３５および図示しないネットワークを介して接続される図示しない他のサーバコンピュータからプログラム９４をダウンロードして補助記憶装置１４に保存しても良い。
【０１１８】
プログラム９４は、コンピュータ９５の制御プログラムとしてインストールされ、主記憶装置３３にロードして実行される。これにより、コンピュータ９５、第１取得部１６、音声Ｉ／Ｆ１７およびインタホン制御部１８は、上述した点検装置１１として機能する。
【０１１９】
各実施例で記載されている技術的特徴（構成要件）はお互いに組合せ可能であり、組み合わせすることにより、新しい技術的特徴を形成することができる。
今回開示された実施の形態はすべての点で例示であって、制限的なものではないと考えられるべきである。本発明の範囲は、上記した意味ではなく、特許請求の範囲によって示され、特許請求の範囲と均等の意味および範囲内でのすべての変更が含まれることが意図される。
【符号の説明】
【０１２０】
１０  点検システム
１１  点検装置
１２  第１ＣＰＵ
１３  主記憶装置
１４  補助記憶装置
１５  通信部
１５１  送信部
１６  第１取得部
１７  音声Ｉ／Ｆ
１８  インタホン制御部
２１  接続部
２１１  ケーブル
２１２  プローブ
２２  スピーカ
２３  マイク
２５  インタホン制御線
２６  警告停止信号線
２７  通話試験線
２８  音声伝達線
２９  送信機
３１  クライアント（情報処理装置）
３２  第２ＣＰＵ
３３  主記憶装置
３４  補助記憶装置
３５  通信部
３５２  受信部
３７  表示部
３８  入力部
４１  サーバ
４２  第３ＣＰＵ
４３  主記憶装置
４４  補助記憶装置
４５  通信部
４６  時計
５１  ログＤＢ
５２  点検結果ＤＢ
６１  受信機
６２  警告部
６３  ラベル
６４  コネクタ
６６  第１インタホン
６７  第１受話器
７１  火災感知器
７２  感知信号線
７３  火災報知機
７５  通話線
７６  第２インタホン
７７  第２受話器
８１  点検装置ＩＤ欄
８２  接続状態欄
８３  開始ボタン
８４  終了ボタン
８５  状態表示欄
８６  場所欄
８７  点検結果欄
８８  ＵＲＬ欄
８９  インタホン欄
９０  呼出番号欄
９１  読取部
９２  可搬型記録媒体
９３  半導体メモリ
９４  プログラム
９５  コンピュータ
９７  試験器
【図１】
2018120560.tif 000003
【図２】
2018120560.tif 000004
【図３】
2018120560.tif 000005
【図４】
2018120560.tif 000006
【図５】
2018120560.tif 000007
【図６】
2018120560.tif 000008
【図７】
2018120560.tif 000009
【図８】
2018120560.tif 000010
【図９】
2018120560.tif 000011
【図１０】
2018120560.tif 000012
【図１１】
2018120560.tif 000013
【図１２】
2018120560.tif 000014
【図１３】
2018120560.tif 000015
【図１４】
2018120560.tif 000016
【図１５】
2018120560.tif 000017
【図１６】
2018120560.tif 000018